(57)【要約】  Ｖ−パネルフィルター装置及び製造方法を提供する。この方法は、エンドキャップのへこみ部分の中に硬化性ポッティング材料を流し込むこと、閉じ込められたポッティング材料中に第一のフィルターパネル及び第二のフィルターパネルの第一の末端縁表面を配置すること、及び、前記エンドキャップから広がるように配置され、Ｖ−型形態を画定している第一のフィルターパネル及び第二のフィルターパネルとともにポッティング材料を硬化させることを含む。この方法は、第一のサイドプレートのへこみ部分の中に硬化性ポッティング材料を流し込むこと、閉じ込められたポッティング材料中に第一のフィルターパネル及び第二のフィルターパネルの縁表面を配置すること、及び、ポッティング材料を硬化させることを含むことができる。このような工程を第二のサイドプレート及びヘッダー部材との関係で繰り返すことができる。ポットアンドプレースシーリング方法を利用することにより、改良されたシール界面を実現する。安定性及び構造上の利点はヘッダー部材ならびに第一のサイドプレート及び第二のサイドプレートのスナップフィット特徴部により提供されうる。
2015536232.tif 000002
【特許請求の範囲】
【請求項１】
エンドキャップの少なくとも１つのへこみ部分の中に硬化性ポッティング材料を流し込むこと、ここで、前記ポッティング材料は前記エンドキャップの前記少なくとも１つのへこみ部分により閉じ込められている、
前記エンドキャップの前記少なくとも１つのへこみ部分により閉じ込められている前記ポッティング材料中に第一のフィルターパネル及び第二のフィルターパネルの各々の第一の末端縁表面を配置すること、及び、
前記エンドキャップの前記少なくとも１つのへこみ部分により閉じ込められている前記ポッティング材料を硬化させ、前記エンドキャップの前記少なくとも１つのへこみ部分により閉じ込められている前記ポッティング材料内で前記第一のフィルターパネル及び第二のフィルターパネルの前記第一の末端縁表面をシールすること、ここで、前記第一のフィルターパネル及び第二のフィルターパネルはＶ−型形態を画定するように、前記エンドキャップから広がるように配置される、
を含む、Ｖ−パネルフィルター装置の組み立て方法。
【請求項２】
ヘッダー部材の少なくとも１つのへこみ部分の中に硬化性ポッティング材料を流し込むこと、ここで、前記ポッティング材料は前記ヘッダー部材の前記少なくとも１つのへこみ部分により閉じ込められている、
前記ヘッダー部材の前記少なくとも１つのへこみ部分により閉じ込められている前記ポッティング材料中に前記第一のフィルターパネル及び第二のフィルターパネルの各々の第二の末端縁表面を配置すること、及び、
前記ヘッダー部材の前記少なくとも１つのへこみ部分により閉じ込められている前記ポッティング材料を硬化させ、前記ヘッダー部材の前記少なくとも１つのへこみ部分内で前記第一のフィルターパネル及び第二のフィルターパネルの前記第二の末端縁表面をシールすること、
をさらに含む、請求項１記載の方法。
【請求項３】
第一のサイドプレートの少なくとも１つのへこみ部分の中に硬化性ポッティング材料を流し込むこと、ここで、前記ポッティング材料は前記第一のサイドプレートの前記少なくとも１つのへこみ部分により閉じ込められている、
前記第一のサイドプレートの前記少なくとも１つのへこみ部分により閉じ込められている前記ポッティング材料中に前記第一のフィルターパネル及び第二のフィルターパネルの各々の第一の側縁表面を配置すること、及び、
前記第一のサイドプレートの前記少なくとも１つのへこみ部分により閉じ込められている前記ポッティング材料を硬化させ、前記第一のサイドプレートの前記少なくとも１つのへこみ部分により閉じ込められている前記ポッティング材料内で前記第一のフィルターパネル及び第二のフィルターパネルの各々の前記第一の側縁表面をシールすること、
をさらに含む、請求項１記載の方法。
【請求項４】
第二のサイドプレートの少なくとも１つのへこみ部分の中に硬化性ポッティング材料を流し込むこと、ここで、前記ポッティング材料は前記第二のサイドプレートの前記少なくとも１つのへこみ部分により閉じ込められている、
前記第二のサイドプレートの前記少なくとも１つのへこみ部分により閉じ込められている前記ポッティング材料中に前記第一のフィルターパネル及び第二のフィルターパネルの各々の第二の側縁表面を配置すること、及び、
前記第二のサイドプレートの前記少なくとも１つのへこみ部分により閉じ込められている前記ポッティング材料を硬化させ、前記第二のサイドプレートの前記少なくとも１つのへこみ部分により閉じ込められている前記ポッティング材料内で前記第一のフィルターパネル及び第二のフィルターパネルの各々の前記第二の側縁表面をシールすること、
をさらに含む、請求項３記載の方法。
【請求項５】
請求項１の工程の後に請求項３及び４の前記工程を完了し、ここで、請求項３の配置工程は、
前記第一のサイドプレートの前記少なくとも１つのへこみ部分内に前記エンドキャップの第一の末端部分を配置することを含み、そして、
請求項４の配置工程は、
前記第二のサイドプレートの前記少なくとも１つのへこみ部分内に前記エンドキャップの第二の末端部分を配置することを含む、請求項４記載の方法。
【請求項６】
ヘッダー部材の少なくとも１つのへこみ部分の中に硬化性ポッティング材料を流し込むこと、ここで、前記ポッティング材料は前記ヘッダー部材の前記少なくとも１つのへこみ部分により閉じ込められている、
前記ヘッダー部材の前記少なくとも１つのへこみ部分により閉じ込められている前記ポッティング材料中に前記第一のフィルターパネル及び第二のフィルターパネルの各々の第二の末端縁表面を配置すること、及び、
前記ヘッダー部材の前記少なくとも１つのへこみ部分により閉じ込められている前記ポッティング材料を硬化させ、前記ヘッダー部材の前記少なくとも１つのへこみ部分により閉じ込められている前記ポッティング材料内で前記第一のフィルターパネル及び第二のフィルターパネルの前記第二の末端縁表面をシールすること、
をさらに含む、請求項４記載の方法。
【請求項７】
前記第一のフィルターパネル及び第二のフィルターパネルの前記縁表面と、前記エンドキャップ、前記ヘッダー部材、前記第一のサイドプレート及び前記第二のサイドプレートの対応表面との間に水密性界面が確立される、請求項６記載の方法。
【請求項８】
請求項６の前記配置工程は、スナップフィット係合により、前記ヘッダー部材に前記第一のサイドプレート及び第二のサイドプレートを相互連結することをさらに含む、請求項６記載の方法。
【請求項９】
請求項６の工程の前に、請求項１、３及び４の工程を完了して、Ｖ−形状フィルター部材を画定し、そして前記Ｖ−形状フィルター部材は請求項６の前記配置工程において単一ユニットとして配置可能である、請求項６記載の方法。
【請求項１０】
請求項１〜４及び６の工程の前記ポッティング材料は粘度が少なくとも１５０センチポアズである、請求項６記載の方法。
【請求項１１】
請求項１、３及び４の工程を複数回完了し、対応する複数のＶ−形状フィルター部材を画定し、前記複数のＶ−形状フィルター部材の各々に関して、請求項１、３及び４の工程の後に請求項６の工程を完了し、それにより、前記複数のＶ−形状フィルター部材の各々は請求項６の前記配置工程において単一ユニットとして配置可能である、請求項６記載の方法。
【請求項１２】
請求項１１により組み立てられたＶ−パネルフィルター装置において、複数のＶ−形状フィルター部材の隣接しているものを、対応する第一のサイドプレート及び対応する第二のサイドプレートの少なくとも一部分に沿って係合させる、請求項１１記載の方法。
【請求項１３】
前記第一のサイドプレート及び前記第二のサイドプレートの前記対応する部分はスライド式インターロック係合に適合したＵ−形状縁チャンネルを含む、請求項１２記載の方法。
【請求項１４】
請求項６記載の方法により組み立てられたＶ−パネルフィルター装置の使用方法であって、前記Ｖ−パネルフィルター装置の前記ヘッダー部材を吸気場所で支持可能に取り付けることを含む、方法。
【請求項１５】
プレフィルター支持体フレームを前記取り付けられたヘッダー部材に支持状態で連結することをさらに含み、前記プレフィルター支持体フレームは支持状態でプレフィルターフィルターを保持するように適合されており、そして前記プレフィルター支持体フレームは前記ヘッダー部材から選択的に脱連結可能である、請求項１４記載の方法。
【請求項１６】
請求項１２の前記支持状態で連結する工程は、前記プレフィルター支持体フレームを前記取り付けられたヘッダー部材にスナップフィット係合により相互連結することをさらに含む、請求項１５記載の方法。
【請求項１７】
前記取り付けられたヘッダー部材に連結された前記プレフィルター支持体フレームに対して支持関係でプレフィルターフィルターを配置することをさらに含み、前記プレフィルターフィルターは前記プレフィルター支持体フレームから選択的に取り外し可能である、請求項１５記載の方法。
【請求項１８】
請求項１７の前記配置工程は前記プレフィルターフィルターが前記ヘッダー部材に空間を開けた関係で配置される位置となっている、請求項１４記載の方法。
【請求項１９】
請求項１７の前記配置工程は前記プレフィルターフィルターを前記プレフィルター支持体フレームにスナップフィット係合により相互連結することをさらに含む、請求項１４記載の方法。
【請求項２０】
前記吸気場所に安全フィルターを支持状態で取り付けることをさらに含み、前記Ｖ−パネルフィルター装置は前記取り付けられた安全フィルターを取り外すことなく前記吸気場所から取り外し可能である、請求項１４記載の方法。
【請求項２１】
少なくとも第一のＶ−形状フィルター部材を含む、Ｖ−パネルフィルター装置であって、
少なくとも第一のＶ−形状フィルター部材は、
エンドキャップの少なくとも１つのへこみ部分により閉じ込められているポッティング材料内にシール状態で配置された第一の末端縁表面を各々有する第一のフィルターパネル及び第二のフィルターパネル、ここで、前記第一のフィルターパネル及び第二のフィルターパネルは前記エンドキャップから広がって、Ｖ−型形態を画定している、
第一のサイドプレート、ここで、前記第一のフィルターパネル及び第二のフィルターパネルの各々の第一の側縁表面は前記第一のサイドプレートの少なくとも１つのへこみ部分により閉じ込められているポッティング材料内にシール状態で配置されている、
第二のサイドプレート、ここで、前記第一のフィルターパネル及び第二のフィルターパネルの各々の第二の側縁表面は前記第二のサイドプレートの少なくとも１つのへこみ部分により閉じ込められているポッティング材料内にシール状態で配置されている、及び、
ヘッダー部材、ここで、前記少なくとも第一のＶ−形状フィルター部材に関して、前記第一のフィルターパネル及び第二のフィルターパネルの各々の第二の末端縁表面は前記ヘッダー部材の少なくとも１つのへこみ部分により閉じ込められているポッティング材料内にシール状態で配置されている、
を含む、Ｖ−パネルフィルター装置。
【請求項２２】
前記ヘッダー部材ならびに前記第一のサイドプレート及び第二のサイドプレートは前記ヘッダー部材と、前記第一のサイドプレート及び第二のサイドプレートの各々との間でスナップフィット係合するように適合されている、請求項２１記載のＶ−パネルフィルター装置。
【請求項２３】
前記ヘッダー部材は、第一のサイドプレート及び第二のサイドプレートをそれぞれ構成している相補的な表面部分とのスナップフィット係合のための弾性変形可能な第一の突起部材及び第二の突起部材を含む、請求項２１記載のＶ−パネルフィルター装置。
【請求項２４】
前記ヘッダー部材は、前記ポッティング材料を閉じ込めそして前記第一のフィルターパネル及び第二のフィルターパネルの前記第二の末端縁表面を受け入れるためのチャンネル形状のへこみ部分を少なくとも第一の開口部の各々の側に含む、請求項２１記載のＶ−パネルフィルター装置。
【請求項２５】
前記第一のサイドプレート及び前記第二のサイドプレートの末端部分は前記ヘッダー部材の前記チャンネル形状のへこみ部分の対応する部分の中に配置されている、請求項２４記載のＶ−パネルフィルター装置。
【請求項２６】
前記第一のサイドプレート及び第二のサイドプレートの各々の前記少なくとも１つのへこみ部分は、それぞれ前記ポッティング材料を閉じ込めそして前記第一のフィルターパネル及び第二のフィルターパネルの前記第一の側縁表面及び第二の側縁表面を受け入れるためのＶ−型形態である、請求項２１記載のＶ−パネルフィルター装置。
【請求項２７】
前記エンドキャップの第一の末端部分及び第二の末端部分はそれぞれ前記第一のサイドプレート及び第二のサイドプレートの前記少なくとも１つのへこみ部分の対応する領域内に配置されている、請求項２１記載のＶ−パネルフィルター装置。
【請求項２８】
前記第一のフィルターパネル及び第二のフィルターパネルの前記縁表面の各々と、前記エンドキャップ、前記ヘッダー部材、前記第一のサイドプレート及び前記第二のサイドプレートの対応する表面との間にポットアンドプレースアセンブリにより水密界面を確立している、請求項２１記載のＶ−パネルフィルター装置。
【請求項２９】
前記ヘッダー部材との組み立ての前に、前記少なくとも第一のＶ−形状フィルター部材を単一ユニットとして組み立てている、請求項２１記載のＶ−パネルフィルター装置。
【請求項３０】
複数のＶ−形状フィルター部材を各々別個にさらに含み、
該Ｖ−形状フィルター部材は、
エンドキャップの少なくとも１つのへこみ部分により閉じ込められているポッティング材料内にシール状態で配置された第一の末端縁表面を各々有する第一のフィルターパネル及び第二のフィルターパネル、ここで、前記第一のフィルターパネル及び第二のフィルターパネルは前記エンドキャップから広がって、Ｖ−型形態を画定している、
第一のサイドプレート、ここで、前記第一のフィルターパネル及び第二のフィルターパネルの各々の第一の側縁表面は前記第一のサイドプレートの少なくとも１つのへこみ部分により閉じ込められているポッティング材料内にシール状態で配置されている、及び、
第二のサイドプレート、ここで、前記第一のフィルターパネル及び第二のフィルターパネルの各々の第二の側縁表面は前記第二のサイドプレートの少なくとも１つのへこみ部分により閉じ込められているポッティング材料内にシール状態で配置されており、ここで、前記第一のフィルターパネル及び第二のフィルターパネルの各々の第二の末端縁表面は前記ヘッダー部材の少なくとも１つのへこみ部分により閉じ込められているポッティング材料内にシール状態で配置されている、
を含み、
前記複数のＶ−形状フィルター部材の各々に関して、対応する第一のフィルターパネル及び第二のフィルターパネルの各々の対応する第二の末端縁表面は前記ヘッダー部材の少なくとも１つの対応するへこみ部分により閉じ込められている前記ポッティング材料内に配置されている、請求項２１記載のＶ−パネルフィルター装置。
【請求項３１】
前記ヘッダー部材ならびに前記複数のＶ−形状フィルター部材の各々の前記第一のサイドプレート及び第二のサイドプレートはスナップフィット係合するように適合されている、請求項３０記載のＶ−パネルフィルター装置。
【請求項３２】
前記複数のＶ−形状フィルター部材の各々は前記ヘッダー部材との組み立ての前に単一ユニットとして組み立てられる、請求項３０記載のＶ−パネルフィルター装置。
【請求項３３】
前記複数のＶ−形状フィルター部材の隣接するものは対応する第一のサイドプレート及び対応する第二のサイドプレートの少なくとも一部に沿って係合されている、請求項３０記載のＶ−パネルフィルター装置。
【請求項３４】
前記第一のサイドプレート及び第二のサイドプレートの前記対応する部分はスライド式インターロック係合に適合されているＵ−形状縁チャンネルを含む、請求項３３記載のＶ−パネルフィルター装置。
【請求項３５】
前記ヘッダー部材に支持状態で連結可能でかつそこから脱連結可能であるプレフィルター支持体フレームをさらに含み、ここで、前記プレフィルター支持体フレームはプレフィルターフィルターを支持するように適合されている、請求項３０記載のＶ−パネルフィルター装置。
【請求項３６】
前記プレフィルター支持体フレームは前記ヘッダー部材と支持可能な係合のための弾性変形可能な複数の突起部材を含む、請求項３５記載のＶ−パネルフィルター装置。
【請求項３７】
前記プレフィルター支持体フレームは前記ヘッダー部材と間隔を開けた関係でプレフィルターフィルターを支持するように提供されている、請求項３５記載のＶ−パネルフィルター装置。
【請求項３８】
前記プレフィルター支持体フレームは関係するプレフィルターフィルターの選択的相互連結及び脱連結のための弾性変形可能な複数の突起部材を含む、請求項３５記載のＶ−パネルフィルター装置。
【請求項３９】
包囲された領域内に前記少なくとも第一のＶ−形状フィルター部材を受け入れるようなサイズの安全フィルターをさらに含む、請求項２１記載のＶ−パネルフィルター装置。
【請求項４０】
複数のＶ−形状フィルター部材を各々別個にさらに含み、
該Ｖ−形状フィルター部材は、
エンドキャップの少なくとも１つのへこみ部分により閉じ込められているポッティング材料内にシール状態で配置された第一の末端縁表面を各々有する第一のフィルターパネル及び第二のフィルターパネル、ここで、前記第一のフィルターパネル及び第二のフィルターパネルは前記エンドキャップから広がって、Ｖ−型形態を画定している、
第一のサイドプレート、ここで、前記第一のフィルターパネル及び第二のフィルターパネルの各々の第一の側縁表面は前記第一のサイドプレートの少なくとも１つのへこみ部分により閉じ込められているポッティング材料内にシール状態で配置されている、
第二のサイドプレート、ここで、前記第一のフィルターパネル及び第二のフィルターパネルの各々の第二の側縁表面は前記第二のサイドプレートの少なくとも１つのへこみ部分により閉じ込められているポッティング材料内にシール状態で配置されている、及び、
ヘッダー部材、ここで、前記第一のフィルターパネル及び第二のフィルターパネルの各々の第二の末端縁表面は前記ヘッダー部材の少なくとも１つのへこみ部分により閉じ込められているポッティング材料内にシール状態で配置されている、
を含み、
前記Ｖ−パネルフィルター装置は、前記複数のＶ−形状フィルター部材の各々への別個の相互連結及びそこからの脱連結のためのアダプターをさらに含む、請求項２１記載のＶ−パネルフィルター装置。
【請求項４１】
前記第一のフィルターパネル及び第二のフィルターパネルは以下の材料：
延伸ポリテトラフルオロエチレン、
ポリプロピレン、及び、
ポリエチレン、
のうちの少なくとも１種の材料を含む、プリーツ付きのマイクロポーラスメンブレンを含む、請求項２１記載のＶ−パネルフィルター装置。
【発明の詳細な説明】
【技術分野】
【０００１】
発明の分野
本発明はフィルター装置に関し、より詳細には、産業上の用途で利用される吸気フィルターに関する。
【背景技術】
【０００２】
発明の背景
フィルターは幅広い用途で使用されており、その用途としては、建築物通気システムから大規模産業設備及び装置における吸入空気をろ過する用途が挙げられる。例えば、吸気フィルターは発電のために使用されるガスタービン燃焼システムとの関係で使用される。
【０００３】
このような用途において、高体積の空気を燃焼プロセスに使用する。そこで、高体積ろ過装置は燃焼最適化及び部品の摩耗の低減のために吸気流を条件調節することが必要である。この点で、このようなフィルター装置は、取り込み空気から粒子及び液体を信頼できるようにして除去しながら、比較的に低い圧力損失でもって比較的に高体積のガスろ過を行うことが望ましい。特に、ガスタービン用途では、比較的に小さい粒子及び液体の除去はタービン部品の劣化（例えば、コンプレッサーブレードの腐食）及びコンプレッサー効率の損失を最小限に抑えるために望ましい。理解されるであろうように、タービン部品の交換は高価なだけでなく、有意なダウンタイムをも伴う。
【０００４】
高体積空気ろ過を実現するために、Ｖ−パネルフィルターはしばしば使用される。Ｖ−パネルフィルターにおいて、隣接するフィルターパネルは、一般に、空気流に沿ってそして横切ってＶ−型形態を画定するように鋭角で配向されている。Ｖ−パネルフィルターは高体積ろ過を生じるが、その形態は信頼性のあるシール界面及び全体の耐久性を実現する関係で設計上の問題を呈する。
【発明の概要】
【発明が解決しようとする課題】
【０００５】
発明の要旨
本発明の目的は所望されない粒子及び／又は液体通過を低減するように改良された部品シール性を有しながら、高体積用途（例えば、ガス燃焼タービン用途）に適合されたＶ−パネルフィルター装置を提供することである。
【０００６】
本発明の別の目的は改良されたフィルター性能をも提供しながら、改良されたフィルター製造効率を生じるＶ−パネルフィルター装置を提供することである。
【０００７】
本発明の別の目的は設置及び交換が容易な改良されたＶ−パネルフィルター装置を提供することである。
【０００８】
本発明のさらに別の目的は信頼性が増加して耐久性が向上しながら、改良されたろ過性能が生じるＶ−パネルフィルター装置を提供することである。
【課題を解決するための手段】
【０００９】
1つ以上の上記の目的及び追加の利点はヘッダー部材に対してシール状態で配置された1つ又は複数のＶ−形状フィルター部材を含むＶ−形状フィルター装置のある実施形態において実現されうる。各々のＶ−形状フィルター部材は第一のフィルターパネル及び第二のフィルターパネルを含み、その各々はエンドキャップの1つ以上のへこみ部分によって閉じ込められているポッティング材料内にシール状態で配置された第一の末端縁表面を有する。第一のフィルターパネル及び第二のフィルターパネルはエンドキャップから広がるように配置され、Ｖ−型形態を画定することができる。
【００１０】
第一のフィルターパネル及び第二のフィルターパネルの各々の第一の側縁表面はＶ−形状フィルター部材の第一の面を包囲している第一のサイドプレート内の1つ以上のへこみ部分によって閉じ込められたポッティング材料内にシール状態で配置されることができる。第一のフィルターパネル及び第二のフィルターパネルの第二の側縁表面はＶ−形状フィルター部材の第二の面を包囲している第二のサイドプレート内の1つ以上のへこみ部分によって閉じ込められたポッティング材料内にシール状態で配置されることができる。
【００１１】
さらに、第一のフィルターパネル及び第二のフィルターパネルの各々の第二の末端縁表面はヘッダー部材の1つ以上のへこみ部分によって閉じ込められているポッティング材料内にシール状態で配置されうる。理解されるとおり、ポッティング材料を閉じ込めるためにへこみ部分を組み込むことで、第一のフィルターパネル及び第二のフィルターパネルのすべての縁表面がヘッダー部材、エンドキャップ及び第一のサイドプレート又は第二のサイドプレートの界面に対してシール状態で配置され、それにより、改良された水密性Ｖ−パネルフィルター装置を生成することができるように、ポットアンドプレース製造手順を容易にする。ポットアンドプレース製造手順は、ポッティング材料を要素のへこみ部分の中に最初に分配し、次いで、フィルターパネルの縁表面をポッティング材料中に導入する組み立て技術を指す。
【００１２】
幾つかの実施形態において、各Ｖ−形状フィルター部材は、第一のサイドプレート及び第二のサイドプレートがヘッダー部材に対して支持状態で配置されうるように提供される。次いで、第一のフィルターパネル及び第二のフィルターパネルはヘッダー部材ならびに第一のサイドプレート及び第二のサイドプレートに対して支持状態でかつシール状態で配置されることができ、そしてエンドキャップは第一のフィルターパネル及び第二のフィルターパネルに対して支持状態でかつシール状態で配置されることができる。
【００１３】
１つのアプローチにおいて、各Ｖ−形状フィルター部材の第一のサイドプレート及び第二のサイドプレートは、例えば、スナップフィット係合により、ヘッダー部材と機械的な相互連結が提供されることができ、それにより、組み立てが容易になりそして安定性／耐久性が向上することができる。その観点で、相補的なスナップフィット係合部材セットはヘッダー部材ならびに第一のサイドプレート及び第二のサイドプレート上に提供されることができ、ここで、相補的なスナップフィット係合部材の各セットの少なくとも１つはヘッダー部材ならびに第一のサイドプレート及び第二のサイドプレートのスプリング負荷固定のために弾性変形可能であることができる。
【００１４】
１つの実施形態において、ヘッダー部材は上部フレーム部分及び下部フレーム部分を横切って弾性変形可能な突起部材を備えていることができ、そして第一のサイドプレート及び第二のサイドプレートは相補的な傾斜形状突起物を備えていることができ、ここで、ヘッダー部材及びＶ−形状フィルター部材の相対的な進行時に、突起部材が傾斜形状突起物の末端を通過して、第一のサイドプレート及び第二のサイドプレートと強固な係合へとスナップフィットするまで、傾斜形状突起物と係合し、それによって外向きに撓まされる。このような係合はヘッダー部材に対するＶ−形状フィルター部材の固定配置を支持しそして容易にする役割を果たすことができる。
【００１５】
様々な実施形態において、ヘッダー部材、第一のサイドプレート及び第二のサイドプレート及び／又はエンドキャップのへこみ部分はチャンネル型形態であることができる。１つのアプローチにおいて、第一のサイドプレート及び／又は第二のサイドプレートは第一のフィルターパネル及び第二のフィルターパネルの第一の縁表面又は第二の縁表面の対応する部分を受け入れるサイズのＶ−形状へこみ部分を含むことができる。対応して、第一のサイドプレート及び／又は第二のサイドプレートは三角形形状（例えば、二等辺三角形）であることができ、三角形の第一のサイドプレート及び／又は第二のサイドプレートの１つの辺はヘッダー部材と隣接した位置にあり、そして他の２つの辺はヘッダー部材から頂点に向かって延在している。
【００１６】
幾つかの実施形態において、第一のサイドプレート及び／又は第二のサイドプレートのへこみ部分はエンドキャップの末端部分を受け入れそして捕獲するサイズであることができる。例えば、第一のサイドプレート及び／又は第二のサイドプレートのＶ−形状へこみ部分の頂点部分はエンドキャップの末端部分を受け入れるために拡大されうる。次いで、このようなエンドキャップの機械的な捕獲は、例えば、（フィルターパネルに課される空気流圧力の結果として）エンドキャップ、第一のサイドプレート及び第二のサイドプレート、そして、次いで、ヘッダー部材に課される力を伝達することにより、さらなる向上した安定性を生じさせる。
【００１７】
各Ｖ−形状フィルター部材では、ヘッダー部材はＶ−形状フィルター部材の開放Ｖ−末端に対応する関係のサイズの開口部の各々の側に沿って延在しているへこみ部分を含むことができる。相補的なスナップフィット部材セットは、対応する開口部の各末端に隣接して係合させるためにヘッダー部材ならびに第一のサイドプレート及び第二のサイドプレート上に配置されることができる。
【００１８】
幾つかの実施形態において、ヘッダー部材のへこみ部分は第一のサイドプレート及び／又は第二のサイドプレートの末端部分を受け入れ、それにより、捕獲するようなサイズであることができる。例えば、ヘッダー部材の１つ以上のへこみ部分の末端領域は三角形形状の第一のサイドプレート又は第二のサイドプレートの面の末端部分を受け入れるために拡大されていることができる。そこで、向上した安定性が実現されうる。
【００１９】
エンドキャップのへこみ部分は互いに対して角度がある第一のフロア部分及び第二のフロア部分を含み、第一のフィルターパネル及び第二のフィルターパネルの第一の末端縁表面の隣接した平行な配置に適応させることができる。同様に、ヘッダー部材の開口部の各々の側にあるへこみ部分は互いに対して角度があるフロア部分を含み、第一のフィルターパネル及び第二のフィルターパネルの第二の末端縁表面の隣接した平行な配置に適応させることができる。
【００２０】
幾つかの実施形態において、複数のＶ−形状フィルター部材は共通のヘッダー部材に対してシール状態で配置されうる。このような複数のＶ−形状フィルター部材の各々はヘッダー部材に対して支持状態で配置されることができ、そして上記の特徴部の一部又は全部を含むことができる。このような構成において、共通のヘッダー部材は対応する複数の開口部を含むことができ、このような開口部に沿って延在する対応する複数のへこみ部分のセットを含むことができる。さらに、対応する複数の相補的なスナップフィット部材セットは複数のＶ−形状フィルター部材の各々の第一のサイドプレート及び第二のサイドプレートと相互連結するための複数の開口部の各々の末端に隣接するヘッダー部材上に提供されうる。
【００２１】
Ｖ−形状フィルター部材がヘッダー部材に対して配置されるときに、筋交い部材が隣接するＶ−形状フィルター部材の間に延在して、安定性を向上させるように、複数のＶ−形状フィルター部材は幾つかの実施形態において提供されうる。１つのアプローチにおいて、各Ｖ−形状フィルター部材の第一のサイドプレート及び／又は第二のサイドプレートはその少なくとも一部分に沿って突起筋交い部材を含むことができ、ここで、隣接するＶ−形状フィルター部材の筋交い部材は機械的に係合し、安定性を向上させる。場合により、筋交い部材は隣接するＶ−形状フィルター部材の間にスライド式インターロック係合のための保持部分（例えば、Ｕ−形状縁チャンネル）を備えることができる。
【００２２】
幾つかの実施形態において、Ｖ−パネルフィルター装置はヘッダー部材に支持状態で連結しかつ脱連結することができるプレフィルター支持体フレームをさらに含むことができる。１つのアプローチにおいて、プレフィルター支持体フレームはヘッダー部材と支持可能な係合のための弾性変形可能な第一の複数の突起部材を含むことができる。１つの構成において、プレフィルター支持体フレームはヘッダー部材及び／又は１つ以上の第一のサイドプレート及び第二のサイドプレートに選択的に相互連結しそして脱連結するためのヘッダー部材の１つ又は複数の開口部を通して延在している第一の複数の突起部材を含むことができる。
【００２３】
プレフィルター支持体フレームはプレフィルターフィルターを支持するように適合されうる。より詳細には、プレフィルター支持体フレームは、プレフィルターフィルターをフィルター支持体フレームに選択的に支持状態で相互連結し、そしてプレフィルター支持体フレームから脱連結して取り外すことができ、それにより、Ｖ−パネルフィルター装置のヘッダー部材からプレフィルター支持体フレームを取り外すことなくプレフィルターフィルターを交換するのを容易にすることができるように提供される。
【００２４】
１つのアプローチにおいて、プレフィルター支持体フレームはプレフィルターフィルターの支持係合のために弾性変形可能な第二の複数の突起部材を含むことができる。例えば、上記のとおり、第一の複数の突起部材はプレフィルター支持体フレームの第一の面から突起することができ、そして第二の複数の突起部材はプレフィルター支持体フレームの第二の面から延在することができる。特定の実施形態において、第一の複数の突起部材及び／又は第二の複数の突起部材は、Ｖ−パネルフィルター装置のヘッダー部材から所定の間隔の距離で離れてプレフィルターフィルターを配置するように提供されうる。
【００２５】
１つ以上の上記の目的及び追加的な利点は、また、１つ以上のＶ−パネルフィルター部材の各々に関して、硬化性ポッティング材料をエンドキャップの少なくとも１つのへこみ部分（例えば、上向き）の中に流し込むことを含み、ここで、ポッティング材料はへこみ部分により閉じ込められている、Ｖ−パネルフィルター装置を組み立てる方法の実施形態においても実現されうる。この方法は、エンドキャップのへこみ部分により閉じ込められているポッティング材料の中に第一のフィルターパネル及び第二のフィルターパネルの各々の第一の末端縁表面を配置すること（例えば、閉じ込められたポッティング材料中に第一の末端縁表面を垂直に進行させることにより、例えば、沈めること）をさらに含む。次いで、この方法は、エンドキャップのへこみ部分により閉じ込められたポッティング材料を硬化させ、閉じ込められたポッティング材料内で第一のフィルターパネル及び第二のフィルターパネルの第一の末端縁表面をシールすることを含むことができ、ここで、第一のフィルターパネル及び第二のフィルターパネルはエンドキャップから上方に延在しそして広がるように配置され、Ｖ−型形態を画定する。
【００２６】
幾つかの実施形態において、この方法は第一のサイドプレートの少なくとも１つのへこみ部分（例えば、上向き）の中に硬化性ポッティング材料を流し込むこと、閉じ込められているポッティング材料の中に第一のフィルターパネル及び第二のフィルターパネルの各々の第一の側縁表面を配置すること（例えば、閉じ込められたポッティング材料中に第一の側縁表面を垂直に進行させることにより、例えば、沈めること）の工程を含むことができる。次いで、この方法はポッティング材料を硬化させることを含み、ここで、第一のフィルターパネル及び第二のフィルターパネルの第一の側縁表面はシール状態で配置される。さらに、この方法は第二のサイドプレートの少なくとも１つのへこみ部分の中に流し込まれそしてそれにより閉じ込められている硬化性ポッティング材料中に第一のフィルターパネル及び第二のフィルターパネルの第二の側縁表面をシール状態で配置するように、直ぐ上に記載した工程を繰り返すことをさらに含むことができる。
【００２７】
１つのアプローチにおいて、この方法は上記のように、エンドキャップ中に閉じ込められているポッティング材料中に第一のパネル及び第二のパネルの第一の末端縁表面をシールすること、及び、第一のサイドプレートの少なくとも１つのへこみ部分の中に閉じ込められているポッティング材料の中に前記第一のフィルターパネル及び第二のフィルターパネルの各々の第一の側縁表面とともにエンドキャップの第一の末端部分を配置することを含む。さらに、この方法は上記のように、エンドキャップ中に閉じ込められているポッティング材料中に第一のパネル及び第二のパネルの第一の末端縁表面をシールすること、及び、第二のサイドプレートの少なくとも１つのへこみ部分の中に閉じ込められているポッティング材料の中に前記第一のフィルターパネル及び第二のフィルターパネルの各々の前記第二の側縁表面とともにエンドキャップの第二の末端部分を配置することを含むことができる。
【００２８】
幾つかの実施形態において、この方法はヘッダー部材の少なくとも１つのへこみ部分（例えば、上向き）の中に硬化性ポッティング材料を流し込むこと、ここで、ポッティング材料はへこみ部分により閉じ込められている、及び、第一のフィルターパネル及び第二のフィルターパネルの各々の第二の末端縁表面をポッティング材料の中に配置すること（例えば、閉じ込められたポッティング材料中に第二の末端縁表面を垂直に進行させることにより、例えば、沈めること）を含むことができる。次いで、ポッティング材料を硬化させ、ヘッダー部材のへこみ部分により閉じ込められているポッティング材料の中で第一のフィルターパネル及び第二のフィルターパネルの第二の末端縁表面をシールすることができる。
【００２９】
考えられる方法の実施形態において、第一のフィルターパネル及び第二のフィルターパネルの縁表面は別個のポットアンドプレース組み立て工程によりシールされ、第一のフィルターパネル及び第二のフィルターパネルと、エンドキャップ、第一のサイドプレート、第二のサイドプレート及びヘッダー部材との間に水密性界面を生成することができる。このような多段階工程のポットアンドプレース組み立てはユニット一体性を向上させることができる。
【００３０】
幾つかの実施形態において、この方法は、スナップフィット係合により、ヘッダー部材に第一のサイドプレート及び第二のサイドプレートを相互連結することを含むことができる。この観点で、このようなスナップフィット係合は、ヘッダー部材のへこみ部分中に流し込まれそしてそれにより閉じ込められている硬化性ポッティング材料の中に第一のフィルターパネル及び第二のフィルターパネルの第二の末端縁表面を配置することと組み合わせて達成されうる。このようなスナップフィット係合は、相補的な部材であって、その少なくとも一方が本明細書中に別に記載された通りの弾性変形可能である部材を用いて実現することができる。
【００３１】
幾つかの実施形態において、ポッティング材料を用いる方法工程は比較的に高い粘度を有するポッティング材料を用いることができる。例えば、少なくとも１５０センチポアズの粘度を有するポッティング材料を用いることができる。理解されるとおり、このように比較的に高い粘度を有するポッティング材料は、少なくとも部分的には、ポットアンドプレース組み立て工程という理由から、有利に使用されうる。
【００３２】
幾つかの実施形態において、複数のＶ−形状フィルター部材は上記のとおりの方法工程を用いて組み立てることができる。１つのアプローチにおいて、このような複数のＶ−形状フィルター部材は共通のヘッダー部材に対してシール状態でかつ支持状態で配置されることができる。このような実施形態において、複数のＶ−形状フィルター部材の隣接するものは対応する第一のサイドプレート及び対応する第二のサイドプレートの少なくとも一部分に沿って係合するように提供されうる。より詳細には、第一のサイドプレート及び第二のサイドプレートの対応する部分は共通するヘッダー部材に対して対応するＶ−形状フィルター部材を配置することと組み合わせてスライド式インターロック係合するように適合されたＵ−形状縁チャンネルを含むことができる。
【００３３】
特定の実施形態において、上記の方法により組み立てられたＶ−パネルフィルター装置は取り込みポート（例えば、ガス燃焼タービンシステムへの吸気）で、Ｖ−パネルフィルター装置のヘッダー部材を支持状態で取り付けることを含むことができる。次いで、この方法は取り付けられたヘッダー部材にプレフィルター支持体フレームを支持可能に連結することをさらに含むことができ、ここで、プレフィルター支持体フレームはプレフィルターフィルターを支持可能に維持するように適合されており、そしてプレフィルター支持体フレームはヘッダー部材に選択的に連結可能でかつそこから脱連結可能である。さらに、この方法はヘッダー部材に連結されたプレフィルター支持体フレームに対して支持関係でプレフィルターフィルターを選択的に配置することを含むことができ、ここで、プレフィルターフィルターはヘッダー部材に対して空間を開けて配置され、そしてプレフィルターフィルターはプレフィルター支持体フレームから選択的に取り外し可能である。
【００３４】
本発明の多くの追加の特徴及び利点は以下に提供される実施形態を考慮したときに当業者に明らかとなるであろう。
【図面の簡単な説明】
【００３５】
図面の簡単な説明
【図１Ａ】図１ＡはＶ−形状フィルターの1つの実施形態の斜視図である。
【図１Ｂ】図１Ｂは図１ＡのＶ−形状フィルターの実施形態の分解斜視図である。
【図２Ａ】図２Ａは図１ＡのＶ−形状フィルターの実施形態の第一のフィルターパネル及び第二のフィルターパネルならびにエンドキャップの斜視組立図である。
【図２Ｂ】図２Ｂは図１ＡのＶ−形状フィルターの実施形態の第一のフィルターパネル及び第二のフィルターパネルならびにエンドキャップの斜視組立図である。
【図３Ａ】図３Ａは図１のＶ−形状フィルターの実施形態の第一のフィルターパネル及び第二のフィルターパネル、エンドキャップ、ならびに、第一のサイドプレートの斜視組立図である。
【図３Ｂ】図３Ｂは図１のＶ−形状フィルターの実施形態の第一のフィルターパネル及び第二のフィルターパネル、エンドキャップ、ならびに、第一のサイドプレートの斜視組立図である。
【図３Ｃ】図３Ｃは図１のＶ−形状フィルターの実施形態の第一のフィルターパネル及び第二のフィルターパネル、エンドキャップ、ならびに、第一のサイドプレート及び第二のサイドプレートの斜視組立図である。
【図３Ｄ】図３Ｄは図１のＶ−形状フィルターの実施形態の第一のフィルターパネル及び第二のフィルターパネル、エンドキャップ、ならびに、第一のサイドプレート及び第二のサイドプレートの斜視組立図である。
【図４Ａ】図４Ａは図１のＶ−形状フィルターの実施形態のＶ−形状フィルター部材及びヘッダー部材の斜視組立図である。
【図４Ｂ】図４Ｂは図１のＶ−形状フィルターの実施形態のＶ−形状フィルター部材及びヘッダー部材の斜視組立図である。
【図４Ｃ】図４Ｃは図１Ａの完全組立Ｖ−形状フィルターの実施形態の斜視図である。
【図４Ｄ】図４Ｄは図１Ａの完全組立Ｖ−形状フィルターの実施形態の斜視図である。
【図５Ａ】図５Ａは図１ＡのＶ−形状フィルターの実施形態及び吸気ポートでそれとともに使用可能な、場合により用いる部品を含むフィルター装置の実施形態の分解斜視図である。
【図５Ｂ】図５Ｂは図１ＡのＶ−形状フィルターの実施形態及び吸気ポートでの図５Ａのフィルター装置の実施形態の、場合により用いる部品の斜視設置図である。
【図５Ｃ】図５Ｃは図１ＡのＶ−形状フィルターの実施形態及び吸気ポートでの図５Ａのフィルター装置の実施形態の、場合により用いる部品の斜視設置図である。
【図５Ｄ】図５Ｄは図１ＡのＶ−形状フィルターの実施形態及び吸気ポートでの図５Ａのフィルター装置の実施形態の、場合により用いる部品の斜視設置図である。
【図５Ｅ】図５Ｅは図１ＡのＶ−形状フィルターの実施形態及び吸気ポートでの図５Ａのフィルター装置の実施形態の、場合により用いる部品の斜視設置図である。
【図５Ｆ】図５Ｆは図１ＡのＶ−形状フィルターの実施形態及び吸気ポートでの図５Ａのフィルター装置の実施形態の、場合により用いる部品の斜視設置図である。
【図５Ｇ】図５Ｇは図１ＡのＶ−形状フィルターの実施形態及び吸気ポートでの図５Ａのフィルター装置の実施形態の、場合により用いる部品の斜視設置図である。
【図６Ａ】図６ＡはＶ−形状フィルターの別の実施形態の斜視図である。
【図６Ｂ】図６Ｂは図６ＡのＶ−形状フィルターの実施形態及び吸気ポートでそれとともに使用可能な部品を含む別のフィルター装置の実施形態の分解斜視図である。
【図７】図７は図１ＡのＶ−形状フィルターの実施形態で、それと使用可能な安全フィルターの実施形態をともに含むものの分解斜視図である。
【図８】図８は図６ＡのＶ−形状フィルターの実施形態及び図７の安全フィルターの実施形態、及び、吸気ポートでそれとともに使用可能な部品を含む別のフィルター装置の実施形態の分解斜視図である。
【図９】図９は図６ＡのＶ−形状フィルターの実施形態及び吸気ポートでそれとともに使用可能な部品を含む別のフィルター装置の実施形態の分解斜視図である。
【発明を実施するための形態】
【００３６】
詳細な説明
Ｖ−パネルフィルター１の1つの実施形態を図１Ａ及び１Ｂに示す。例示の実施形態において、Ｖ−パネルフィルター１はヘッダー部材２０に対してシール状態で配置された４つのＶ−形状フィルター部材１０を含む。例えば、Ｖ−形状フィルター部材１０及びヘッダー部材２０はＶ−形状フィルター部材１０が支持状態かつシール状態で相互連結され、それにより、Ｖ−パネルフィルター１を、例えばＶ−パネルフィルター１の設置及び／又は取り換えの間に単一ユニットとして取り扱うのが容易になるように提供されうる。図１Ａ及び図１Ｂは４つのＶ−形状フィルター部材１０を示しているが、１つ又は異なる複数のＶ−形状フィルター部材を利用する構成で種々の記載の特徴を利用することができることが理解されるべきである。
【００３７】
さらに記載されるとおり、各Ｖ−形状フィルター部材１０は第一の末端縁表面３２ａ，３２ｂに沿ってエンドキャップ４０に対してシール状態で配置され、そして第二の末端縁表面３４ａ，３４ｂに沿ってヘッダー部材２０に対してシール状態で配置された第一のフィルターパネル及び第二のフィルターパネル３０ａ，３０ｂを含むことができる。さらに、第一のフィルターパネル及び第二のフィルターパネル３０ａ，３０ｂは、それぞれ第一の側縁表面及び第二の側縁表面３６ａ，３６ｂ及び３８ａ，３８ｂに沿って、それぞれ第一のサイドプレート及び第二のサイドプレート５０ａ，５０ｂに対してシール状態で配置されていることができる。有利なことに、第一のフィルターパネル及び第二のフィルターパネル３０ａ，３０ｂの縁表面に沿った各シール界面はポットアンドプレース型界面であることができる。
【００３８】
第一のフィルターパネル及び第二のフィルターパネル３０ａ，３０ｂはひだ付き、平坦又は他の形態であることができる。第一のフィルターパネル及び第二のフィルターパネルの製造のための適切なフィルター媒体材料としては、マイクロファイバーグラス、セルロース、スパンボンド、メルトブローン、メンブレン及びそれらの組み合わせが挙げられる。第一のフィルターパネル及び第二のフィルターパネルは、有利には、電界紡糸ナノファイバーウェブ及びマイクロポーラスポリマーメンブレン（例えば、ポリテトラフルオロエチレン、ポリプロピレン、ポリエチレン）を含むことができ、これは水の浸入を忌避する能力のためである。第一のフィルターパネル及び第二のフィルターパネル３０ａ，３０ｂはフィルター等級が少なくとも約Ｅ１０、好ましくは約Ｅ１２以上（例えば、フィルター試験標準ＥＮ１８２２：２００９により決定して）であることができる。
【００３９】
記載したとおり、第一のフィルターパネル及び第二のフィルターパネル３０ａ，３０ｂはマイクロポーラスポリマーメンブレンを含むことができる。マイクロポーラスポリマーメンブレンは流体流から粒子及び微生物を除去することの依頼性及び信頼性を示している。このようなメンブレンは、通常、そのポリマー組成、通気性、水侵入圧及びろ過効率を特徴とする。
【００４０】
種々のマイクロポーラスポリマーメンブレンは用途の要求に応じて使用されうる。メンブレンは以下の例示の材料から製造されうる：ニトロセルロース、トリアセチルセルロース、ポリアミド、ポリカーボネート、ポリエチレン、ポリプロピレン、ポリテトラフルオロエチレン、ポリスルホン、ポリ塩化ビニル、ポリフッ化ビニリデン、アクリレートコポリマー。
【００４１】
第一のフィルターパネル及び第二のフィルターパネル３０ａ，３０ｂは好ましくは、液体の通過を防止することができる疎水性材料から製造されうる。第一のフィルターパネル及び第二のフィルターパネル３０ａ，３０ｂは如何なる液体をも通過させることなくフィルター媒体を横切って課された差圧に耐えることができるべきである。メンブレンは水侵入圧が約０．２〜約１．５バールであることができ、平均通気率が約７フレーザー〜約１００フレーザー又は約１０フレーザー〜約４０フレーザー（試験標準ＡＳＴＭ  Ｆ７７８により決定して）であることができる。
【００４２】
第一のフィルターパネル及び第二のフィルターパネル３０ａ，３０ｂはマイクロポーラスフルオロポリマー、例えば、ポリテトラフルオロエチレン（ＰＴＦＥ）、フッ素化エチレンプロピレン（ＦＥＰ）、パーフルオロアルコキシポリマー（ＰＦＡ）、ポリプロピレン（ＰＰ）、ポリウレタン（ＰＵ）、ポリエチレン（ＰＥ）又は超高分子量ポリエチレン（ＵＨＭＷＰＥ）を含むことができる。
【００４３】
例示の実施形態において、第一のフィルターパネル及び第二のフィルターパネル３０ａ，３０ｂは延伸ポリテトラフルオロエチレン（ｅＰＴＦＥ）メンブレンを含むことができる。適切なｅＰＴＦＥメンブレンは米国特許第５，８１４，４０５号明細書中に記載されている。その明細書中に記載されているメンブレンは良好なろ過効率、高い通気性及び破裂強さを有する。このようなｅＰＴＦＥメンブレンはW. L. Gore and Associates, Inc., Newark, Delawareから入手可能である。しかしながら、他の手段により製造されるｅＰＴＦＥメンブレンも使用されうることは理解されるべきである。
【００４４】
第一のフィルターパネル及び第二のフィルターパネル３０ａ，３０ｂは、場合により、フィルターの特定の特性を改良するためのフィラー材料を含むことができる。適切なフィラーとしては、限定するわけではないが、カーボンブラック又は他の導電性フィラー、触媒粒子、ヒュームドシリカ、コロイドシリカ又は吸着性材料、例えば、活性炭、又は、セラミックフィラー、例えば、活性アルミナ、及び、二酸化チタン（ＴｉＯ２）が挙げられる。本発明に有用なフィラー充填メンブレンの調製方法は、米国特許第５，８１４，４０５号明細書に完全に記載されている。
【００４５】
記載されるとおり、第一のフィルターパネル及び第二のフィルターパネル３０ａ，３０ｂはウェブの形態のメルトブローン材料を含むことができる。メルトブローンウェブはメルトスパン繊維を加熱空気の収束流とともに同伴させて、極端に微細なフィラメントを製造することにより製造される。メルトブローン処理は、典型的に１０ミクロン未満である比較的に小さい直径の繊維を含む連続サブデニール繊維を形成する。
【００４６】
第一のフィルターパネル及び第二のフィルターパネル３０ａ，３０ｂはメルトブローンポリマー繊維ウェブ層を含むことができ、該層はポリプロピレン、ポリエステル、ポリアミド、ポリ塩化ビニル、ポリメチルメタクリレート及びポリエチレンを含む様々なポリマー材料から製造されうる。ポリプロピレンはより使用されるポリマー材料である。典型的には、ウェブを形成するポリマー繊維は直径が約０．５ミクロン〜約１０ミクロンの範囲にあり、又は、約１ミクロン〜約５ミクロンの範囲にある。メルトブローンポリマー繊維ウェブの基本重量は、例えば、約１ｇ／ｍ２〜約１００ｇ／ｍ２の範囲にあり、又は、約１０ｇ／ｍ２〜約５０ｇ／ｍ２の範囲にあることができる。
【００４７】
メルトブローンろ過媒体は静電電荷を有する高度に効率的な層を含む少なくとも１つのエレクトレットフィルター媒体層を含むことができる。様々な既知の技術を用いてろ過性能を改良するためにメルトブローン繊維ウェブに電荷を付与することができる。例えば、適切なウェブは、例えば、Tsaiらの米国特許第５，４０１，４４６号明細書に教示されるように、隣接する電界が互いに対して実質的に反対の極性を有するように、ウェブを一連の電界に付すことにより便利にコールドチャージされうる。その明細書中に記載されるように、ウェブの片面を初期的に正電荷に付し、一方、ウェブの反対面を初期的に負電荷に付す。その後、ウェブの第一面を負電荷に付し、ウェブの反対面を正電荷に付す。しかしながら、エレクトレットフィルター材料は様々な他の既知の技術によっても製造されうる。
【００４８】
第一のフィルターパネル及び第二のフィルターパネル３０ａ，３０ｂは米国特許第７，５０１，００３号及び同第８，１４７，５８３号明細書に教示されているように、マイクロポーラスポリテトラフルオロエチレンメンブレン及び静電メルトブローンウェブを含む複合材フィルター媒体を場合により含むことができる。このような複合材フィルター媒体はサブミクロン粒子を捕獲しそして水を忌避するその依頼性及び信頼性により、産業用ろ過用途に有用性を示している。
【００４９】
第一のフィルターパネル及び第二のフィルターパネル３０ａ，３０ｂはナノファイバーをも含むことができる。この点に関して、静電紡糸（エレクトロスピニング）法により、ナノファイバーとしても知られている、小さい直径及び高表面積の合成繊維の製造が可能となる。エレクトロスピニング法は高電圧勾配などの強い電界の存在下に、ポリマー溶液を静電電荷に付すことを含む。静電電荷をポリマー流体中に導入することにより、荷電流体のジェットの形成をもたらすことになる。ポリマー流体の電荷ジェットは静電電界において加速しそして薄くなり、コレクターに引き寄せられる。このような方法において、ポリマー流体の粘弾性力はジェットを安定化させ、小さい直径の微細繊維を形成する。ポリマーの例としては、ポリ塩化ビニル（ＰＶＣ）、ポリオレフィン、ポリアセタール、ポリエステル、セルロースエーテル、ポリアルキレンスルフィド、ポリアリーレンオキシド、ポリスルホン、変性ポリスルホンポリマー及びポリビニルアルコール、ポリアミド、ポリスチレン、ポリアクリロニトリル、ポリ塩化ビニリデン、ポリメチルメタクリレート及びポリフッ化ビニリデンが挙げられる。
【００５０】
電界紡糸ナノファイバー媒体層は厚さが約５０ｎｍ〜約５ミクロン、又は、約１００ｎｍ〜約５００ｎｍであることができ、基本重量が約０．００１ｇ／ｍ２〜約０．０５ｇ／ｍ２であることができ、好ましくは約０．０１ｇ／ｍ２〜約０．０２ｇ／ｍ２であり、そして1つの実施形態において、約０．０１３ｇ／ｍ２である。電界紡糸媒体層の繊維はメジアン繊維直径が約１ミクロン未満、約０．８ミクロン未満、又は、約５０ナノメートル〜約７００ナノメートル、又はそれ未満である。
【００５１】
ナノファイバーは他の既知の方法によっても製造されうる。例えば、ナノファイバーは遠心分離力（例えば、米国特許公開第２００９／０２８０３２５号（Ａ１）及び同第２００８／０２４２１７１号明細書により記載されているとおり）により製造されることができ、ここで、１種以上のポリマーを含む組成物は繊維製造デバイスの本体の中に配置されており、デバイスは繊維製造デバイスから材料を突出してナノファイバーを形成するのに十分な速度で回転されている。
【００５２】
ヘッダー部材２０、エンドキャップ４０、ならびに、第一のサイドプレート及び第二のサイドプレート５０ａ，５０ｂは剛性構造体であることができる。例えば、このような構成部品はモールド成形され又は押出成形されることができ、そして、ポリスチレン、ポリカーボネート、アクリル、アクリロニトリルブタジエンスチレン（ＡＢＳ）、ポリアミド、アセタール、ポリ塩化ビニル、セルロース、ポリエステル、ポリエチレン、フッ素樹脂、ポリイミド、ポリアミド、ポリプロピレン、ポリスルホン、メラミン、フェノール系、ウレタン系、ポリエーテルエーテルケトン、ペルフルオロアルコキシ、ポリフッ化ビニリデン、フィラー入り複合材（例えば、ガラス、炭素繊維、顔料、金属及びそれらの組み合わせで充填されたもの）を含む、適切な材料を含むことができる。
【００５３】
Ｖ−パネルフィルター１の組み立ての１つのアプローチをここで示すことにする。図２Ａに示されるとおり、組み立てはエンドキャップ４０に対して第一のフィルターパネル及び第二のフィルターパネル３０ａ，３０ｂの第一の末端縁表面３２ａ，３２ｂのシーリング配置を含むことができる。そうするために、硬化性ポッティング材料（図示せず）をエンドキャップ４０の上向きへこみ部分４２中に注ぐことができる。例えば、第一のフィルターパネル及び第二のフィルターパネル３０ａ，３０ｂをエンドキャップ４０のへこみ部分４２内に配置したときに、第一の末端縁表面３２ａ，３２ｂの全体が硬化性ポッティング材料内に進行し（例えば、垂直に）、そしてその中に沈むように、十分な量の硬化性ポッティング材料をへこみ部分４２中に注入することができる。
【００５４】
図２Ａに示されるとおり、エンドキャップ４０のへこみ部分４２は、各々実質的に平面であり、互いに若干の角度で配向された第一のフロア部分及び第二のフロア部分４４ａ，４４ｂを備えていることができる。さらに、位置決めタブ４６はエンドキャップ４０の第一のフロア部分及び第二のフロア部分４４ａ，４４ｂの末端部分の間のへこみ部分４２内に提供されていることができる。次いで、このような特徴部は、図２Ｂに示されるとおり、第一のフィルターパネル及び第二のフィルターパネル３０ａ，３０ｂをエンドキャップ４０内に配置したときに、それらのパネルがエンドキャップ４０から上方に延在し、予め決められた角度で互いに広がっているように、第一のフィルターパネル及び第二のフィルターパネル３０ａ，３０ｂの第一の末端縁表面３２ａ，３２ｂを配置するのを容易にする。この点で、第一のフィルターパネル及び第二のフィルターパネル３０ａ，３０ｂの第一の末端縁表面３２ａ，３２ｂは閉じ込められたポッティング材料内に配置され、エンドキャップ４０の第一のフロア部分及び第二のフロア部分４４ａ，４４ｂに隣接しそして平行に配置されうる。上記のとおり、そして図２Ｂに仮想線４８により示されるとおり、硬化性ポッティング材料は第一のフィルターパネル及び第二のフィルターパネル３０ａ，３０ｂの第一の末端縁表面３２ａ，３２ｂを完全にカバーし、それによりシールするように提供されうる。
【００５５】
適切なポッティング材料として下記のものを挙げることができる：ウレタン、シリコーン、エポキシ、ＰＶＣホットメルト、プラスチゾル、メチルメタクリレート、シアノアクリレート、フルオロシリコーン。上記のポットアンドプレースアプローチにより、例えば、１５０センチポイズ以上の比較的高い粘度を有するポッティング材料を利用することができる。図２Ｂに示すように、第一のフィルターパネル及び第二のフィルターパネル３０ａ，３０ｂをエンドキャップ４０に対して配置した後に、硬化性ポッティング材料を、例えば、熱、インダクション、ＵＶ、嫌気、溶媒蒸発及び湿分を含む多くアプローチのいずれかにより硬化することができる。
【００５６】
図３Ａに示されるとおり、第一のフィルターパネル及び第二のフィルターパネル３０ａ，３０ｂは、エンドキャップ４０と一緒になって、第一のサイドプレート５０ａに対して第一の側縁表面３６ａ，３６ｂ及びエンドキャップ４０の末端部分をシール状態で配置するように設置されることができる。その観点で、硬化性ポッティング材料（図示せず）を第一のサイドプレート５０ａの上向きへこみ部分５２ａ中に流し込むことができる。
【００５７】
へこみ部分５２ａは第一の側縁表面３６ａ，３６ｂにより画定されるＶ−型形態に対応するＶ−形状チャンネル形態であることができる。さらに、へこみ部分５２ａはエンドキャップ４０の末端部分を配置し、それにより捕獲するような形態となっている拡大部分５４ａを含むことができる。図３Ａに示されるとおり、第一のサイドプレート５０ａは三角形形状であることができ、例えば、限定するわけではないが、二等辺三角形であることができる。
【００５８】
さらに下記に説明されるとおり、第一のサイドプレート５０ａはヘッダー部材２０とのスナップフィット係合を実現するのに使用されるＶ−形状ウェブ部分５７に傾斜形状表面部分５６を含むことができる。さらに、第一のサイドプレート５０ａは、さらなる下記の説明から明らかになる通り、強度及び安定性を提供するための周縁筋交い部材５８を含むことができる。
【００５９】
図３Ｂに示すように、第一のフィルターパネル及び第二のフィルターパネル３０ａ，３０ｂを第一のサイドプレート５０ａのへこみ部分５２ａ内に配置したときに、第一の側縁表面３６ａ，３６ｂの全体及びエンドキャップ４０の末端部分が硬化性ポッティング材料内に進行し（例えば、垂直に）、そしてその中に沈むのを確保するように、十分な量の硬化性ポッティング材料をへこみ部分５２ａ中に注入することができる。このような組み立てられた配置において、第一のサイドプレート５０はＶ−パネルフィルター１の全体の対応する面を包囲する。このような配置の後に、硬化性ポッティング材料は硬化されうる。この点に関して、適切なポッティング材料及び硬化アプローチは上記のように利用できる。
【００６０】
図３Ｃに示されるとおり、第一のフィルターパネル及び第二のフィルターパネル３０ａ，３０ｂは、エンドキャップ４０及び第一のサイドプレート５０ａと一緒になって、第二のサイドプレート５０ｂに対して第二の側縁表面３８ａ，３８ｂ及びエンドキャップ４０の末端部分をシール状態で配置するように位置決めされうる。この点に関して、硬化性ポッティング材料（図示せず）を第二のサイドプレート５０ｂの上向きへこみ部分５２ｂ中に流し込むことができる。
【００６１】
へこみ部分５２ｂは第二の側縁表面３８ａ，３８ｂにより画定されるＶ−型形態に対応するＶ−形状チャンネル形態であることができる。さらに、へこみ部分５２ｂはエンドキャップ４０の末端部分を配置し、それにより捕獲するような形態となっている拡大部分５４ｂを含むことができる。図３Ａに示されるとおり、第二のサイドプレート５０ｂは三角形形状であることができ、例えば、限定するわけではないが、二等辺三角形であることができる。
【００６２】
さらに下記に説明されるとおり、第二のサイドプレート５０ｂはヘッダー部材２０とのスナップフィット係合を実現するのに使用されるＶ−形状ウェブ部分５７に傾斜形状表面部分５６を含むことができる。さらに、第二のサイドプレート５０ｂは、さらなる下記の説明から明らかになる通り、強度及び安定性を提供するための周縁筋交い部材５８を含むことができる。
【００６３】
図３Ｄに示すように、第一のフィルターパネル及び第二のフィルターパネル３０ａ，３０ｂを第二のサイドプレート５０ｂのへこみ部分５２ｂ内に配置したときに、第二の側縁表面３８ａ，３８ｂの全体及びエンドキャップ４０の末端部分が硬化性ポッティング材料内に進行し（例えば、垂直に）、そしてその中に沈むことを確保するように、十分な量の硬化性ポッティング材料をへこみ部分５２ｂ中に注入することができる。このような組み立てられた配置において、第二のサイドプレート５０はＶ−パネルフィルター１の対応する面を包囲する。このような配置の後に、硬化性ポッティング材料は硬化されうる。この点に関して、適切なポッティング材料及び硬化アプローチは上記のように利用できる。
【００６４】
理解されるとおり、図２Ａ、２Ｂ及び３Ａ〜３Ｄとの関係で記載される組み立て工程はＶ−パネルフィルター１において利用されるＶ−形状フィルター部材１０の各々に関して行うことができる。次いで、完成したＶ−形状フィルター部材１０をヘッダー部材２０と組み立てることができ、ここで、図４Ａ〜４Ｄの関係で記載することにする。
【００６５】
図４Ａに示すように、ヘッダー部材２０は硬化性ポッティング材料（図示せず）を閉じ込めそしてＶ−形状フィルター部材１０の各々を構成する第一のフィルターパネル及び第二のフィルター３０ａ，３０ｂの第二の末端縁表面３４ａ，３４ｂの受け入れ部を含む複数のへこみ部分２２を含むことができる。より詳細には、例示の実施形態において、４組のチャンネル形状のへこみ部分２２はヘッダー部材２０により提供され、ここで、各組はヘッダー部材２０を通して開口部２４の各々の側にチャンネル形状のへこみ部分２２を含む。各開口部２４はＶ−形状フィルター部材１０の開口Ｖ−末端プロファイルに対応関係のサイズである。例示のヘッダー部材２０では、各組のへこみ部分２２は第一のフロア部分２２ａを有する１つのへこみ部分２２及び第二のフロア部分２２ｂを有する第二のへこみ部分２２を含み、それらは実質的に平面であり、互いに若干の角度で配向されており、それにより、第一のフィルターパネル及び第二のフィルター３０ａ，３０ｂの第二の末端縁表面３４ａ，３４ｂは閉じ込められたポッティング材料内でヘッダー部材２０の第一のフロア部分及び第二のフロア部分２２ａ，２２ｂに隣接しそして平行に配置されうる。さらに、各チャンネル形状のへこみ部分２２は第一のサイドプレート及び第二のサイドプレート５０ａ，５０ｂの末端部分を配置するような形状で各末端に拡大部分２２ｃを含むことができる。
【００６６】
ヘッダー部材２０はＶ−形状フィルター部材１０を構成している第一のサイドプレート５０ａ及び第二のサイドプレート５０ｂの相補的な傾斜形状の表面部分５６とのスナップフィット係合を実現するのに使用される開口部２４の各々の末端で突出部材２６をさらに含むことができる。１つのアプローチにおいて、突出部材２６は相補的に構成された表面部分５６上でのスナップフィット係合のために弾性的に変形可能であることができる。理解されるとおり、様々な他のスナップフィット係合アプローチを利用することができる。
【００６７】
ヘッダー部材２０は、ガスケット材料（例えば、エチレンプロピレンジエンモノマー、ビニル、ネオプレン、シリコーン、シリコーンフォーム、ポリウレタンフォーム、ポリイミドフォーム、ポリエチレンフォームなど）を受け入れるための、図４Ａ及び４Ｄに示すようなへこみ部分２２ｄをさらに含むことができる。ガスケットは、有利には、フォームインプレースガスケット（例えば、液体フォーム、チキソトロピーフォーム）であることができる。
【００６８】
図４Ｂに示すように、ヘッダー部材２０のへこみ部分２２内に第一のフィルターパネル及び第二のフィルターパネル３０ａ，３０ｂを配置するときに、第二の末端縁表面３４ａ，３４ｂの全体、及び、第一のサイドプレート及び第二のサイドプレート５０ａ，５０ｂの末端部分を硬化性ポッティング材料内に進行させ（例えば、垂直に）、そして沈ませるのを確保するように、十分な量の硬化性ポッティング材料をへこみ部分２２（例えば、上向き）中に流し込むことができる。このような配置の後に、硬化性ポッティング材料を硬化させることができる。この点に関して、適切なポッティング材料及び硬化アプローチを上記のように利用することができる。
【００６９】
理解されるとおり、図４Ａ及び４Ｂとの関係で記載される組み立て工程はＶ−パネルフィルター１において利用されるＶ−形状フィルター部材１０の各々で行うことができ、それにより、図４Ｃに示すように完成されたＶ−パネルフィルター１を生じる。図４Ｃに例示されるとおり、Ｖ−形状フィルター部材１０は、第一のサイドプレート及び第二のサイドプレート５０ａ，５０ｂの相補的表面５６をヘッダー部材２０の突出部材２６とスナップフィット係合して配置し、第一のフィルターパネル及び第二のフィルターパネル３０ａ，３０ｂの第二の末端縁表面３４ａ，３４ｂを、ヘッダー部材２０のへこみ部分２２により閉じ込められた硬化性ポッティング材料内でシール状態で配置されるように設置されうる。
【００７０】
上記のとおり、第一のサイドプレート５０ａ及び第二のサイドプレート５０ｂは筋交い部材５８を含む。隣接するＶ−形状フィルター部材１０の筋交い部材５８は互いに側方に隣接し、それにより、安定性を向上するように配置されている。さらに、そして図４Ｄで最も良好に示されるように、隣接して配置されたＶ−形状フィルター部材１０の筋交い部材５８は相補的な形状の保持部分５８ａ，５８ｂを含むことができる。保持部分５８ａ，５８ｂはヘッダー部材２０に対して一連のＶ−形状フィルター部材１０を配置するときのスライド式インターロック係合のために提供されうる。例えば、保持部分５８ａ，５８ｂはＵ−形状縁チャンネル（例えば、半ダブテール形状を有する）を含むことができる。理解されるとおり、筋交い部材５８の保持部分５８ａ，５８ｂはＶ−パネルフィルター１の安定性及び耐久性をさらに向上させる。安定性をさらに向上させるために、接着剤（例えば、エポキシ、ホットメルト、シリコーンなど）を含む結合剤及び溶媒（例えば、アセトン）及び／又は結合工程（例えば、超音波、熱）を保持部分５８ａ，５８ｂの界面領域に沿って利用することができる。
【００７１】
Ｖ−パネルフィルター１及び追加の場合により用いる部品を含むＶ−パネルフィルター装置１００を例示している図５Ａ〜５Ｇをこれから参照することにし、ここで、Ｖ−パネルフィルター１は設置場所２００（例えば、吸気場所）に対する設置のために配置されることが示される。設置場所２００は複数の開口部２０４（例えば、図５Ａにおいて１つのみを示す）を有するグリッドを画定しているフレーム２０２を含むことができ、各開口部２０４はＶ−パネルフィルター１の受け入れのためのサイズである。理解されるとおり、複数に他の設置場所構成はＶ−パネルフィルター１で使用されうる。図５Ａに示される実施形態において、Ｖ−パネルフィルター装置１００は、Ｖ−パネルフィルター１に加えて、Ｖ−パネルフィルター１をフレーム２０２に相互連結するための取り付けクリップ１０２、選択的にかつ支持状態でＶ−パネルフィルター１に連結可能かつ脱連結可能なプレフィルター支持体フレーム１１０、及び、選択的にかつ支持状態でプレフィルター支持体フレーム１１０に連結可能かつ脱連結可能なプレフィルターフィルター１２０を含む。プレフィルターフィルター１２０は第一の所定のサイズよりも大きい粒子をろ過するように提供されることができ、一方、Ｖ−パネルフィルター１は第一の所定のサイズよりも小さい第二の所定のサイズよりも多い粒子をろ過するように提供されることができる。例えば、プレフィルターフィルター１２０はフィルター等級が少なくとも約Ｇ２であり、そして好ましくは約Ｆ５以上であることができる（例えば、フィルター試験欧州標準ＥＮ７７９：２００５にて決定される）。
【００７２】
図５Ｂに示されるとおり、Ｖ−パネルフィルター１はフレーム２０２の開口部２０４を通してＶ−パネルフィルター１を進行させること（例えば、Ｖ−パネルフィルター１がフィルター壁の「クリーン側」」を突出するようにして）により設置されうる。Ｖ−パネルフィルター１のヘッダー部材２０は開口部２０４の周囲近傍でフレーム２０２とフェーストゥーフェース係合のためのサイズであることができる。場合により、ガスケット部材（図示せず）はＶ−パネルフィルター１のヘッダー部材２０と開口部２０４を包囲しているフレーム２０２との間に配置されうる。図５Ｃに示すように、Ｖ−パネルフィルター１を開口部２０４内に配置した後に、フレーム２０２に相互連結しておりそしてフレーム２０２から突出している支持体ポスト２０６上に取り付けクリップ１０２を進行させることができる。取り付けクリップ１０２は固定ナット（図示せず）及びポスト部材２０６との間でねじ山インターフェースによりポスト部材２０６に固定されうる。
【００７３】
別の実施形態において、Ｖ−パネル装置１は図５Ｃに示されるものとは逆配向に（例えば、Ｖ−パネルフィルター装置１はフィルター壁の「汚染側」を突出するように）フレーム２０２に取り付けられることができる。このような配置において、取り付けクリップ１０２及びポスト部材１０６は図５Ｃに示されるものとは逆側で周囲フレーム部分にヘッダー部材２０を固定するように利用されうる。
【００７４】
ここで、図５Ｄを参照すると、プレフィルター支持体フレーム１１０はＶ−パネルフィルター１のヘッダー部材２０への相互連結のために配置されうる。場合により、ガスケット部材（図示せず）はプレフィルター支持体フレーム１１０及びヘッダー部材２０との間に配置されうる。プレフィルター支持体フレーム１１０はＶ−パネルフィルター１のヘッダー部材２０の相補的な界面特徴部でのスプリング荷重係合のために配置される複数の弾性変形可能な突起部材１１２を含むことができる。例えば、突起部材１１２はヘッダー部材２０の突起部材２６、及び／又は、図３Ａに示すような第一のプレート及び第二のプレート５０ａ，５０ｂの相補的な表面５６及び５７とスプリング荷重係合するように配置されそしてそのためのサイズである。この点に関して、突起部材１１２はプレフィルター支持体フレーム１１０の上部及び下部１１０ａ，１１０ｂに沿ってプレフィルター支持体フレーム１１０の裏面から突起しており、ここで、突起部材は図５Ｅに示されるように、上端及び下端でヘッダー部材２４の開口部２０中に延在している。そのように配置されたときに、プレフィルター支持体フレーム１１０はＶ−パネルフィルター１のヘッダー部材２０に支持状態で相互連結される。
【００７５】
図５Ｄ及び５Ｅにおいて示されるように、プレフィルター支持体フレーム１１０はプレフィルター支持体フレーム１１０の上部１１０ａ，１１０ｂに沿ってプレフィルター支持体フレーム１１０の前面から突出している複数の弾性変形可能な突起部材１１４をさらに含むことができる。突起部材１１４はその末端で傾斜部分１１４ａ及び傾斜部分１１４ａと支持体フレーム１１０との間に配置された保持部分１１４ｂを含むことができる。
【００７６】
次いで、プレフィルターフィルター１２０は図５Ｆ中に示されるように配置されることができ、そして図５Ｇ中に示されるようにプレフィルター支持体フレーム１１０に支持状態で相互連結されるように進行されうる。より詳細には、図５Ｇに示されるように、プレフィルターフィルター１２０を進行させるときに、突起部材１１４をプレフィルターフィルター１２０とスナップフィット係合状態へと撓ませるようにして、突起部材１１４の傾斜部分１１４ａを係合することができる。突起部材１１４の保持部分１１４ｂはＶ−パネルフィルター１のヘッダー部材２０からプレフィルターフィルター１２０に所定の距離で有利に空間（例えば、約０．５インチ〜約４インチ）を開けるように十分な長さを有するように提供されうる。このような間隔を開けた配置により、フィルター装置１のろ過能力が最適化される。
【００７７】
プレフィルターフィルター１２０の前に粗いフィルターを配置することにより粗い粒子及び昆虫からプレフィルターフィルター１２０をさらに保護することも有利でありうる。粗いフィルターはフィルター等級が少なくともＧ２であることができる（フィルター試験欧州標準ＥＮ７７９：２００５により決定）。
【００７８】
理解されうるように、記載の実施形態は、設置場所２００（例えば、吸気場所を含むポート又は開口部）に対するＶ−パネルフィルター１の設置及び交換を容易にする。このような設置及び交換操作は、改良されたＶ−パネルフィルター１の相互連結かつシール状態の部品により画定される単一ユニットの取扱により完了されうる。さらに、記載の実施形態は設置済みＶ−パネルフィルターへのプレフィルター支持体フレームの選択的相互連結、支持及び脱連結、及び、設置場所でＶ−パネルフィルター１に相互連結されたプレフィルター支持体フレーム１１０へのプレフィルターフィルターの相互連結、支持及び脱連結を提供する。
【００７９】
多くの変形実施形態は上記の特徴を含むことができる。例えば、モジュール式アプローチを例示している図６Ａ及び６Ｂを参照する。特に、図６Ａは支持状態かつシール状態で相互連結された単一Ｖ−形状フィルター部材１０を有するヘッダー部材２０ａを含むＶ−パネルフィルター１ａを例示している。Ｖ−パネルフィルター１ａはＶ−パネルフィルターの関係で上述したような特徴を含むことができ、そして組み立てることができる。
【００８０】
図６Ｂに示されるように、複数の同一のＶ−パネルフィルター１ａ，１ｂ，１ｃ及び１ｄは組み立てられることができる。次いで、Ｖ−パネルフィルター１ａ〜１ｄ及び追加の部品を含むＶ−パネルフィルター装置１００ａは設置場所２００に対する設置のために配置されうる。ここでも、設置場所２００は複数の開口部２０４（例えば、図５Ａでは１つのみを示している）を有するグリッドを画定しているフレーム２０２を含むことができ、各開口部２０４は複数のＶ−パネルフィルター１ａ〜１ｄを受け入れるためのサイズである。この点に関して、Ｖ−パネルフィルター装置１００ａは、例えば、上記のように取り付け部材１０２を利用して、フレーム２０２に選択的に取り付けられることができるアダプター１４０をさらに含むことができる（図６Ａに示していない）。
【００８１】
アダプター１４０はそれぞれＶ−パネルフィルター１ａ，１ｂ，１ｃ及び１ｄを受け入れるための複数の開口部１４２ａ，１４２ｂ，１４２ｃ及び１４２ｄを含むことができる。アダプター１４０及び／又はＶ−パネルフィルター１ａ，１ｂ，１ｃ及び１ｄは取り付けられたアダプター１４０に対してＶ−パネルフィルター１ａ，１ｂ，１ｃ及び１ｄの各々を選択的かつ別々に相互連結及び脱連結するための相互連結部材を備えていることができる。例えば、上記のものに類似している突起部材（図６Ｂ中に図示せず）は開口部１４２ａ，１４２ｂ，１４２ｃ及び１４２ｄの各々の両端でアダプター１４０の背面から延在している。さらに、上記と類似の相補的な表面部分はＶ−パネルフィルター１ａ，１ｂ，１ｃ及び１ｄの各々の第一のサイドプレート５０ａ及び／又は第二のサイドプレート５０ｂ上に提供されて、アダプター１４０に対するＶ−パネルフィルター１ａ，１ｂ，１ｃ及び１ｄの選択的相互連結及び脱連結を容易にすることができる。理解されるように、図６Ａ及び６Ｂに例示されるアプローチはＶ−パネルフィルター１ａ，１ｂ，１ｃ及び１ｄの別個の設置及び交換に適応する。
【００８２】
別の変法の実施形態において、安全フィルターは吸気場所に関連する装置の操作（例えば、ガス燃焼タービンの操作）の間にＶ−パネルフィルター１又はモジュール式Ｖ−パネルフィルター１ａ，１ｂ，１ｃ及び１ｄの交換を容易にするために上記の実施形態で用いることができる。例えば、上記のＶ−パネルフィルター１及びＶ−パネルフィルター１を受け入れるようなサイズである安全フィルター３００を示す図７を参照する。理解されるとおり、安全フィルター３００はＶ−パネルフィルター１の下流での設置のために提供される。安全フィルター３００はＶ−パネルフィルター１の交換の間の汚染物、デブリ及び他の材料をろ過するために使用されうる。
【００８３】
安全フィルター３００はウェットレイド、ドライレイド、スパンレース、スパンボンド及び／又はメルトブローンであることができる材料を含みうる。１つのアプローチにおいて、安全フィルター３００はドライレイドポリエステル、ポリオレフィン又はファイバーグラス材料を含むことができる。ろ過効率は等級がＧ２以上、等級が少なくともＧ４又は等級がＦ５以上（例えば、フィルター試験欧州標準ＥＮ７７９：２００５により決定）であることができる。１つのアプローチにおいて、安全フィルター３００はさらにケージ（例えば、金属ワイヤから作られている）又はネッティングメッシュ（例えば、ポリマー材料を含む）を含み、安全フィルター３００の媒体を支持することができる。
【００８４】
図８は上記の図５Ａ〜５Ｇとの関係で示しそして記載したＶ−パネルフィルター装置１００とともに安全フィルター３００を設置することを例示する。図９は図６Ｂの関係で上記に示しそして記載したＶ−パネルフィルター装置１００ａとともに安全フィルター３００を設置することを例示している。
【実施例】
【００８５】
試験方法
水密性
フィルターは平らな表面上にあるエンドキャップ４０とともに水平に配置されている。水レベルがエンドキャップ４０のへこみ部分の中のポッティング材料の上面から４インチとなるまで、ヘッダー部材２０のへこみ開口部の中に脱イオン水を注ぐ。フィルターパネル、エンドキャップ及びサイドプレートの間の界面を通して散逸する水に関して、フィルターの外側を観察する。水が２４時間以内にリークしなければフィルターは合格である。
【００８６】
例１
本明細書中に記載されるろ過製造方法を用いて、Ｖ−パネルフィルターを以下のとおりに製造した：急速プロトタイプ技術において溶融堆積モデリング（ＦＤＭ）を用いて、ＡＢＳプラスチックからＶ−パネルフィルター部品メンブレンのプロトタイプを製造した。エンドキャップは全体の寸法が２１．５９インチ×２．６９インチ×０．６３５インチであり、サイドプレートは全体の寸法が１５．５５インチ×５．２７インチ×０．７０インチであり、ヘッダーは全体の寸法が２３．３８インチ×２３．３８インチ×１．９０インチである。マイクロポーラス延伸ポリテトラフルオロエチレンメンブレンを含むフィルター媒体（Part # P4700、W.L. Gore & Associates, Inc., Newark, Delawareから入手可能）をプリーチングすることにより、８個のフィルターパネルを製造した。フィルターパネルの全体のサイズは２１．２２インチ×１５インチ×１．１４インチであった。
【００８７】
２液硬化型ポッティング材はポリオール及びイソシアネート（Part # P8、W.L. Gore & Associates, Inc., Newark, Delawareから入手可能)から調製した。エンドキャップは、へこみ部分を上に向けて平らな表面上に水平に配置した。ポリオール及びイソシアネートを混合し、エンドキャップのへこみ部分の上に分配した。第一のフィルターパネルの第一の側端縁をＶの第一の面を形成する角度でポッティング材料中に導入した。その後、第二のフィルターパネルの第一の側端縁をＶの第二の面を形成する角度でポッティング材料に導入した。第一のパネル及び第二のパネルの第一側縁部を気密及び水密シールを形成するためにポッティング材料中に完全に浸漬した。第一のサブアセンブリを、ポッティング材が硬化するまで、室温で硬化させた。
【００８８】
第一のサイドプレートをへこみ部分が上向きになるように平らの表面上に水平に置いた。ポリオール及びイソシアネートを混合し、第一のサイドプレートのへこみ部分の上に分配した。第一のサブアセンブリの第一の側縁を第二のサブアセンブリを形成するためにポッティング材料に垂直に導入した。第一側縁を気密及び水密シールを形成するためにポッティング材料中に完全に浸漬させた。第二のサブアセンブリは、ポッティング材料が硬化するまで、室温で硬化させた。
【００８９】
第二のサイドプレートを、へこみ部分が上向きになるようにして平らな表面上に水平に置いた。ポリオール及びイソシアネートを混合し、第二のサイドプレートのへこみ部分の上に分配した。第二のサブアセンブリの第二の側縁を、第三のサブアセンブリを形成するためにポッティング材料に垂直に導入した。第二の側縁を気密及び水密シールを形成するためにポッティング材料中に完全に浸漬させた。第三のサブアセンブリを、ポッティング材料が硬化するまで、室温で硬化させた。
【００９０】
上記の工程を繰り返して、第三のサブアセンブリと同一の４つのサブアセンブリを製造した。その後、ヘッダー部材を、へこみ部分が上向きになるように平らな表面上に水平に配置した。ポリオール及びイソシアネートを混合し、ヘッダー部材のへこみ部分の上に分配した。第三のサブアセンブリのフィルターパネルの側縁をＶ−パネルアセンブリの一部を形成するためにポッティング材料に垂直に導入した。フィルターパネルの側縁を、気密及び水密シールを形成するために完全にポッティング材料中に浸漬させた。この手順を４回繰り返し、４つのＶを有する完全なＶ−パネルアセンブリを製造した。完全なアセンブリを、ポッティング材料が硬化するまで室温で硬化させた。
【００９１】
Ｖ−パネルフィルターを欧州標準ＥＮ１８２２：２００９により試験した。さらに、Ｖ−パネルフィルターを上記の試験方法により水密性に関して試験した。表１に示すように、これまでの手順により製造したＶ−パネルフィルターはＥ１２のフィルター等級を達成し、そして水密性の基準に合格した。
【００９２】
【表１】
2015536232.tif 000003
【００９３】
本発明の上述の説明は、例示及び説明のために提示されたものである。記載は本発明を本明細書中に開示された形態に限定することを意図しない。したがって、変形及び変更は上述の教示に相応し、関連技術の技術及び知識は本発明の範囲内である。上述の実施形態はさらに、本発明を実施する既知の形態を説明し、そのような実施形態又は他の実施形態では、本発明の特定の用途又は使用によって要求される種々の変更によって、当業者が本発明を利用することを可能にすることを意図する。添付の特許請求の範囲は先行技術によって許容される範囲の代替実施形態を包含すると解釈されることを意図する。
【図１Ａ】
2015536232.tif 000004
【図１Ｂ】
2015536232.tif 000005
【図２Ａ】
2015536232.tif 000006
【図２Ｂ】
2015536232.tif 000007
【図３Ａ】
2015536232.tif 000008
【図３Ｂ】
2015536232.tif 000009
【図３Ｃ】
2015536232.tif 000010
【図３Ｄ】
2015536232.tif 000011
【図４Ａ】
2015536232.tif 000012
【図４Ｂ】
2015536232.tif 000013
【図４Ｃ】
2015536232.tif 000014
【図４Ｄ】
2015536232.tif 000015
【図５Ａ】
2015536232.tif 000016
【図５Ｂ】
2015536232.tif 000017
【図５Ｃ】
2015536232.tif 000018
【図５Ｄ】
2015536232.tif 000019
【図５Ｅ】
2015536232.tif 000020
【図５Ｆ】
2015536232.tif 000021
【図５Ｇ】
2015536232.tif 000022
【図６Ａ】
2015536232.tif 000023
【図６Ｂ】
2015536232.tif 000024
【図７】
2015536232.tif 000025
【図８】
2015536232.tif 000026
【図９】
2015536232.tif 000027
【国際調査報告】
2015536232.tif 000028
2015536232.tif 000029